(57)【要約】 【課題】本発明は浴槽の中で湯に浸かりながらリラックスでき、且つ足の浮き沈みの動作により、腹筋や腿の筋肉などが増強されると共にバイブレーターによって足の血行が促進されて足の疲れが解消され易くなる入浴用健康補助具を提供することを目的とする。【解決手段】片足を浮かせるための浮体１と、該浮体１に取付けたバイブレーター２とから少なくとも構成させる。また浮体１として足首に挿入可能な浮き輪或いは靴状の浮き袋を用いるのが良く、該浮体１にポケット状の収納部３を形成し、その収納部３にバイブレーター２を収納させたものとすれば良く、特に靴状の浮き袋１を用いる場合には、右側部と左側部及び底部をそれぞれ独立した中空部に形成し、その底部にポケット状の収納部３を設けるのが好ましい。【選択図】図１
2008200254.tif 000002
【特許請求の範囲】
【請求項１】
片足を浮かせるための浮体（１）と、該浮体（１）に取付けたバイブレーター（２）とから少なくとも構成したことを特徴とする入浴用健康補助具。
【請求項２】
前記浮体（１）が足首に挿入可能な浮き輪であり、該浮体（１）にポケット状の収納部（３）を形成し、その収納部（３）に前記バイブレーター（２）が収納された請求項１記載の入浴用健康補助具。
【請求項３】
前記浮体（１）が足を挿入して包み込む靴状の浮き袋であり、該浮体（１）の右側部と左側部及び底部が、それぞれ独立した中空部に形成され、且つ、その底部にポケット状の収納部（３）を形成し、該収納部（３）に前記バイブレーター（２）が収納された請求項１記載の入浴用健康補助具。
【請求項４】
前記浮体（１）がブロック状の塊であり、該浮体（１）にポケット状或いは収納穴状の収納部（３）を形成し、その収納部（３）に前記バイブレーター（２）が収納され、且つ前記浮体（１）に足首用のバンド（４）を固着させると共にその両端に面ファスナー（５）を取付けた請求項１記載の入浴用健康補助具。
【請求項５】
前記バイブレーター（２）が少なくとも、振動部である振動モーター（21）と、電池（22）と、前記振動モーター（21）及び電池（22）を収納する筒状のケース（23）と、前記振動モーター（21）を操作するツマミ（24）とから成された請求項１、２、３又は４記載の入浴用健康補助具。
【発明の詳細な説明】
【技術分野】
【０００１】
本発明は浴槽の中で湯に浸かりながら浮体で浮いた足を沈め込む動作が繰返されることにより、腹筋や腿の筋肉などが増強されると共にバイブレーターによって足の血行が促進されて足の疲れが解消され易くなる入浴用健康補助具に関する。
【背景技術】
【０００２】
従来、入浴の目的は浴槽の中で湯に浸かりながらリラックスし、１日の疲れを解消させると共に身体を清潔に保つことであった。また疲れを解消させるために、全身に気泡を当てるものや、超音波による全身マッサージが行えるもの等がある。
【０００３】
しかしながら、前記全身に気泡を当てるものや、超音波による全身マッサージが行えるものは、高価であると共にその装置が浴槽の中に入れられるため、狭い浴槽では使用できない等の問題点があった。
【特許文献１】なし
【発明の開示】
【発明が解決しようとする課題】
【０００４】
本発明は浴槽の中で湯に浸かりながらリラックスでき、且つ足の浮き沈みの動作により、腹筋や腿の筋肉などが増強されると共にバイブレーターによって足の血行が促進されて足の疲れが解消され易くなる入浴用健康補助具を提供することを目的とする。
【課題を解決するための手段】
【０００５】
本発明は上記問題点を解消するために成されたものであり、つまり、片足を浮かせるための浮体と、該浮体に取付けたバイブレーターとから少なくとも構成させる。また浮体として足首に挿入可能な浮き輪或いは靴状の浮き袋を用いるのが良く、該浮体にポケット状の収納部を形成し、その収納部にバイブレーターを収納させたものとすれば良く、特に靴状の浮き袋を用いる場合には、右側部と左側部及び底部をそれぞれ独立した中空部に形成し、その底部にポケット状の収納部を設けるのが好ましい。一方、前記浮体としてブロック状の塊を用い、この浮体にポケット状或いは収納穴状の収納部を形成し、該収納部にバイブレーターを収納させ、且つ浮体に足首用のバンドを固着させると共にその両端に面ファスナーを取付けたものとしても良く、  前記バイブレーターとして、振動モーターと電池、それを収納する筒状のケースと、前記振動モーターを操作するツマミとから少なくとも成すと良い。
【発明の効果】
【０００６】
請求項１のように片足を浮かせるための浮体（１）と、該浮体（１）に取付けたバイブレーター（２）とから少なくとも構成することにより、浴槽の中で湯に浸かりながらリラックスでき、浮体（１）で浮いた足を沈め込む動作が繰返されることにより、腹筋や腿の筋肉などが増強されるものとなる。また従来の高価な全身マッサージ装置を買う必要がなく、バイブレーター（２）によって足の血行を促進して足の疲れが解消され易くなると共に従来の如き嵩張る装置を浴槽の中に入れる必要がなくなるため、狭い浴槽でも本発明品が使用でき、一般家庭で気軽に使用できるものとなる。
【０００７】
請求項２のように浮体（１）として足首に挿入可能な浮き輪を用いることにより、極めて簡単な構造で且つ確実に足を浮かすことが出来るものになると共に使用しない時に空気を抜いておけば、嵩張らずに仕舞うことが可能なものとなる。又、浮体（１）にポケット状の収納部（３）を形成し、その収納部（３）にバイブレーター（２）を収納させることにより、足の血行を促進して足の疲れが解消され易くなり、且つ、狭い浴槽でも使用できるものとなる。
【０００８】
請求項３に示すように浮体（１）として足に挿入して包み込む靴状の浮き袋を用いることにより、請求項２と同様な効果が得られると共に、そのまま履いて床を歩くと、エアによって足裏が適宜に押され、且つエアクッションによってリラックスできるものとなる。更に足首全体がエアで包まれているため、断熱効果が高くなり、足の冷え性の人にとって重宝なものとなる。又、浮体（１）の右側部と左側部及び底部が、それぞれ独立した中空部に形成され、その底部にポケット状の収納部（３）を形成し、該収納部（３）にバイブレーター（２）を収納させることにより、足の疲れが解消され易くなると共に、エアの入れ具合によって、浮力の調節（足首に掛る負荷の調節）が可能となり、各人に合った負荷の調節ができ、より有効な効果が期待できるものとなる。
【０００９】
請求項４に示すように浮体（１）としてブロック状の塊を用い、且つ、浮体（１）にポケット状或いは収納穴状の収納部（３）を形成し、その収納部（３）にバイブレーター（２）を収納させ、更に浮体（１）に足首用のバンド（４）を固着させると共にその両端に面ファスナー（５）を取付ければ、極めて簡単な構造で且つ確実に足を浮かすことが出来るものになる。
【００１０】
請求項５のようにバイブレーター（２）が少なくとも、振動部である振動モーター（21）と、電池（22）と、前記振動モーター（21）及び電池（22）を収納する筒状のケース（23）と、振動モーター（21）を操作するツマミ（24）とから成されることにより、構造が簡単で安価に製作出来る小型なバイブレーター（２）となり、バイブレーター（２）の操作がツマミ（24）を回せば、ＯＮとＯＦＦ及び、バイブレーター（２）の強弱調節することが簡単に行えるものとなる。
【発明を実施するための最良の形態】
【００１１】
図１は本発明の実施形態を示す図であり、この図に基づいて説明する。（１）は片足が浮かぶ程度の浮力を有した合成樹脂製の浮き輪の浮体であり、該浮体（１）は水泳用として市販されている注入口（11）を有した浮き輪が小型化されて、足首が出し入れ自在なものであれば良い。尚、前記浮体（１）の材質は合成樹脂製に限定されるものではなく、例えばゴム製などでも良い。
【００１２】
（２）は浮体（１）に取付け且つ完全防水機能を有すると共に強弱の調節可能なバイブレーターであり、該バイブレーター（２）には、振動部である振動モーター（21）と、電池（22）と、該電池（22）と振動モーター（21）を収納する円筒状のケース（23）と、振動モーター（21）を操作するツマミ（24）と、ケース（23）の内部を密閉させるためのＯリング（25）と、電池（22）のマイナス端子に接触させて通電させると共に電池（22）に遊びがないように押圧するスプリング（26）と、振動モーター（21）と電池（22）を接続する導線部（27）と、がある（図４参照）。前記振動モーター（21）にはプラス端子（21a）とマイナス端子（21b）があり、前記ケース（23）はＡＢＳ樹脂などの合成樹脂で成型されている。また前記ツマミ（24）は、ケース（23）の端部に密着して回動可能であり、そのツマミ（24）を回転させると、固定された接触手（24a）が導線部（27）を介して可変抵抗と接触し、振動モーター（21）の回転速度が調節され、バイブレーター（２）の強弱が調節可能となるのである。尚、前記バイブレーター（２）は上記構造に限定されるものではなく、他の構造のもので完全防水機能を有していれば良い。
【００１３】
（３）は浮体（１）にバイブレーター（２）が出し入れ可能に収納されるために形成したポケット状の収納部であり、該収納部（３）は浮体（１）の外周に、軟らかな材質で且つ所定広さのシートを貼着させてポケット状に形成したものである。
【００１４】
図２は本発明の別実施形態を示す図であり、この図に基づいて説明する。（１）は足を挿入して包み込む靴状の浮き袋であり、該浮体（１）の右側部と左側部及び底部が、それぞれ独立した中空部に形成されていると共に注入口（11）がそれぞれに設けられている。また浮体（１）は前記浮き輪と同様な材質を用いるのが好ましい。（２）は浮体（１）の底部に形成したポケット状の収納部（３）に収納されたバイブレーターであり、該バイブレーター（２）としては上記実施形態と同様な完全防水機能を有すると共に強弱の調節可能なものを用いるのが好ましい。
【００１５】
図３は本発明の他の実施形態を示す図であり、これは前記実施形態と比べると、浮体（１）がブロック状の塊であり、収納部（３）が浮体（１）の外周にポケット状に形成、或いは中心に収納穴を形成し、且つ浮体（１）の外周には足首用のバンド（４）が固着されていると共にその両端に面ファスナー（５）が取付けられている。前記浮体（１）としては、合成樹脂で浮き袋状に形成するのが好ましいが、スポンジ系や発泡スチロール系の材料で無垢状に形成させても良く、且つブロック状以外に、長い棒状に形成しても良い。
【００１６】
次に図１に示す本発明品の取付け方法について説明する。先ず始めにバイブレーター（２）を図中の矢印のように収納部（３）へ挿入させて収納し、且つ注入口（11）から空気を入れ、浮体（１）を膨らませる。この時、浮体（１）は２つ用意する。その後、これを浴室へ持ち込み、入浴する。そして、浴槽内に於いて、浮き輪の浮体（１）を足首に通し、両足に浮体（１）を取付けると、図５に示すように両足の足首が水面近くに浮く。このように浮体（１）を足首に通すだけで取付けが簡単に完了するのである。又、図２に示す本発明品の取付け方法は、先ず始めにバイブレーター（２）を浮体（１）の底部に設けた収納部（３）へ収納し、且つ各注入口（11）から空気を入れ、浮体（１）を膨らませる。この時、上記実施形態と同様に浮体（１）を２つ用意し、これを浴室へ持ち込み、入浴する。そして、浴槽内に於いて、浮き袋状の浮体（１）を足に入れ、両足に浮体（１）を取付けると、図５に示すように両足の足首が水面近くに浮く。このように足に履いて浮体（１）を簡単に取付ければ良い。尚、浮き袋状の浮体（１）の浮力が大きい場合には、３箇所に設けた注入口（11）から適宜に空気を抜けば良い。
【００１７】
又、図３に示す本発明品の取付け方法について説明する。先ず始めに前記同様にバイブレーター（２）を図中の実線或いは想像線の矢印のように収納部（３）へ収納させる。すると、バイブレーター（２）は浮体（１）の外周或いは中心に収納されるのである。この時、浮体（１）は２つ用意する。その後、これを浴室へ持ち込み、入浴する。そして、浴槽内に於いて、一方の足首にバンド（４）を巻いて、その両端に取付けた面ファスナー（５）を係止すれば足首に固定する。他方の足首にも前記と同様にバンド（４）を巻き、面ファスナー（５）を係止して足首に固定させる。すると両足は前記同様に足首が水面近くに浮き、浮体（１）の取付けが完了するのである。
【００１８】
次に本発明品の作用について説明する。入浴して、足首に浮体（１）が取付けられた後、バイブレーター（２）を浮体（１）の収納部（３）から取出し、ツマミ（24）を回転させ、バイブレーター（２）の振動の強さを調節する。調節後、それを浮体（１）の外周或いは中心に設けた収納部（３）に収納する。このようにバイブレーター（２）を作動させておくと、浮体（１）全体が振動するので、マッサージ効果が期待できるものとなる。更に図５に示す矢印のように足首を沈めることにより、浮体（１）の浮力に対抗する力が腹筋や腿の筋肉等に作用して鍛えられるのである。この足首を沈めると共に力を抜いて浮かせた後、更に足首を沈める動作を繰返して、入浴時に行えば良い。
【００１９】
足首を沈める動作が適宜時間行われた後、ツマミ（24）を逆に回して元に戻すことにより、スイッチが切られてバイブレーター（２）は停止する。その後、浮体（１）を足首から外せば良い。外された浮体（１）が浮き輪状或いは浮き袋状のものは空気を抜いて仕舞っておけば、嵩張らずに後片付けできるものとなる。又、前記電池（22）を交換する場合は、ツマミ（24）を左に回し、更に回せば螺合部が弛み、ツマミ（24）全体がケース（23）から外れるので、一般的な電池交換を行えば良い。
【図面の簡単な説明】
【００２０】
【図１】本発明の実施形態を示す斜視図である。
【図２】本発明の別実施形態を示す斜視図である。
【図３】本発明の他の実施形態を示す斜視図である。
【図４】本実施形態のバイブレーターの一例を示す説明図である。
【図５】本発明品の使用状態を示す説明図である。
【符号の説明】
【００２１】
１  浮体
２  バイブレーター
21  振動モーター
22  電池
23  ケース
24  ツマミ
３  収納部
４  バンド
５  面ファスナー
【図１】
2008200254.tif 000003
【図２】
2008200254.tif 000004
【図３】
2008200254.tif 000005
【図４】
2008200254.tif 000006
【図５】
2008200254.tif 000007